(57)【要約】【課題】扇風機の使用状態に関わらずイオン濃度を安定させて信頼性及び使用性を向上できる扇風機を提供することを課題とする。【解決手段】電動機の停動及び出力を制御する操作部を有する扇風機において、扇風機のベース前方にマイナスイオンを発生させるイオン発生装置１１を配設し、電動機の出力に応じて、イオン発生装置の出力を調整可能とし、風量の大きい場合にはマイナスイオンの発生量を多く、風量の小さい場合にはマイナスイオンの発生量を小さくするよう構成する。【選択図】　　　　　図３
2004019531.tif 000002
【特許請求の範囲】
【請求項１】
支柱を支持するベースと、前記支柱上部に支持され、電動機を有する扇風機頭部と、前記電動機により回転駆動されるファンと、該ファンを覆うガード体と、前記ベースに形成され、電動機の停動及び出力を制御する操作部とを備えた扇風機において、マイナスイオンを発生させるイオン発生装置を配設するとともに、前記電動機の出力に応じてイオン発生装置の出力を調整可能としたことを特徴とする扇風機。
【請求項２】
支柱を支持するベースと、前記支柱上部に支持され、電動機を有する扇風機頭部と、前記電動機により回転駆動されるファンと、該ファンを覆うガード体と、前記ベースに形成され、電動機の運転を指示する風量スイッチ及び扇風機頭部の首振りを指示する首振りスイッチとを有する操作部とを備えた扇風機において、マイナスイオンを発生させるイオン発生装置を配設するとともに、前記首振りスイッチの出力に応じてイオン発生装置の出力を調整可能としたことを特徴とする扇風機。
【請求項３】
支柱を支持するベースと、前記支柱上部に支持され、電動機、横首振り用モータ、及び縦首振り用モータを有する扇風機頭部と、前記電動機により回転駆動されるファンと、該ファンを覆うガード体と、前記ベースに形成され、電動機の運転を指示する風量スイッチ及び扇風機頭部の首振りモードの切り替えを指示する首振りスイッチとを有する操作部とを備えた扇風機において、マイナスイオンを発生させるイオン発生装置を配設するとともに、前記首振りスイッチの出力に応じてイオン発生装置の出力を調整可能としたことを特徴とする扇風機。
【請求項４】
前記イオン発生装置をベース前方に配設するとともに、マイナスイオンの放出角度を前方斜めに設定したことを特徴とする請求項１ないし請求項３のいずれかに記載の扇風機。
【発明の詳細な説明】
【０００１】
【発明の属する技術分野】
本発明は、マイナスイオン発生機能を有する扇風機に関する。
【０００２】
【従来の技術】
近年、消費者の健康意識の向上に伴い、筋肉組織に溜まった乳酸を中和することにより疲労感の緩和を行い、血液中のガンマーグロプリンを増やし病気に対する抵抗力を高める等の効果があるとして、マイナスイオンが注目されている。
【０００３】
このような市場動向により、リラクゼーション関連商品として、イオン発生装置を付加した空気調和関連の電気製品が話題を集めており、例えば、イオン発生装置を備えた扇風機が商品化されている。
【０００４】
しかしながら、一般的に扇風機は風量を調整可能に構成されており、使用者が適宜風量を調節して使用するようになっているが、風量を「強」にて使用中では、「弱」にて使用中と比較して、発生するイオンがより広範囲に拡散されるため、イオン濃度が低下する問題が考えられる。
【０００５】
また、扇風機は首振り機能を有しているのが一般的になっているが、首振り状態で使用中は、首振り停止状態での使用中と比較して、発生するイオンがより広範囲に拡散されるため、イオン濃度が低下する問題が考えられる。
【０００６】
【発明が解決しようとする課題】
本発明は、上記欠点に鑑みなされたもので、扇風機の使用状態に関わらずイオン濃度を安定させて信頼性及び使用性を向上できる扇風機を提供することを課題とする。
【０００７】
【課題を解決するための手段】
本発明は、支柱を支持するベースと、前記支柱上部に支持され、電動機を有する扇風機頭部と、前記電動機により回転駆動されるファンと、該ファンを覆うガード体と、前記ベースに形成され、電動機の停動及び出力を制御する操作部とを備えた扇風機において、マイナスイオンを発生させるイオン発生装置を配設するとともに、前記電動機の出力に応じてイオン発生装置の出力を調整可能としたことを特徴とする。
【０００８】
また、本発明は、支柱を支持するベースと、前記支柱上部に支持され、電動機を有する扇風機頭部と、前記電動機により回転駆動されるファンと、該ファンを覆うガード体と、前記ベースに形成され、電動機の運転を指示する風量スイッチ及び扇風機頭部の首振りを指示する首振りスイッチとを有する操作部とを備えた扇風機において、マイナスイオンを発生させるイオン発生装置を配設するとともに、前記首振りスイッチの出力に応じてイオン発生装置の出力を調整可能としたことを特徴とする。
【０００９】
さらに、本発明は、支柱を支持するベースと、前記支柱上部に支持され、電動機、横首振り用モータ、及び縦首振り用モータを有する扇風機頭部と、前記電動機により回転駆動されるファンと、該ファンを覆うガード体と、前記ベースに形成され、電動機の運転を指示する風量スイッチ及び扇風機頭部の首振りモードの切り替えを指示する首振りスイッチとを有する操作部とを備えた扇風機において、マイナスイオンを発生させるイオン発生装置を配設するとともに、前記首振りスイッチの出力に応じてイオン発生装置の出力を調整可能としたことを特徴とする。
【００１０】
前記イオン発生装置をベース前方に配設するとともに、マイナスイオンの放出角度を前方斜めに設定することが望ましい。
【００１１】
【発明の実施の形態】
本発明の実施の形態を図面に基づき説明する。
【００１２】
２は扇風機１のスタンドで、ベース３と、該ベース３から略垂直に一体形成される支柱４と、該支柱４に摺動自在に支持されるスライドパイプ５と、該スライドパイプ５の上端に俯仰自在に支持されるネックピース６とから構成されている。
【００１３】
前記ネックピース６には図示しない横首振り用モータが内蔵されるとともに、該ネックピース６に、図示しない電動機及び縦首振り用モータを有する扇風機頭部７が左右首振自在に支持されており、該首振り用モータと縦首振り用モータとの組み合わせにより左右・上下運動の合成により立体首振り可能になっている。
【００１４】
前記扇風機頭部７には、図示しないファンを覆って着脱自在に装着されるガード８が取り付けられている。
【００１５】
前記ベース３上面には、電動機のＯＮ・ＯＦＦ及び風量調整を順次切り替える風量スイッチ、首振りモード（左右首振り・縦首振り・立体首振り）切り替えスイッチ（いずれも図示せず）、及び後述するイオン発生装置１１への通電を制御するイオンスイッチ９等を有する操作部１０が設けられている。
【００１６】
前記風量スイッチは、押圧操作する度に電動機の出力が「強」、「中」、「弱」、「停止」と順次切り替えられるようになっているとともに、該風量スイッチの操作による風量の強弱の切り替えに応じて後述するイオン発生装置１１の出力が切り替えられるようになっており、「弱」運転の場合はイオン発生器１１の出力を下げてマイナスイオン発生量を少なくし、「強」運転の場合はイオン発生器１１の出力を上げてマイナスイオン発生量を多くするようになっている。
【００１７】
１１は前記操作部１０に配設され、マイナスイオンを発生するイオン発生装置で、そのイオン吹出口を斜め前方に向けて配設されており、これにより、発生したマイナスイオンは斜め前方上方に発射された後、ファンの風に乗って部屋中に拡散されるとともに、基本的に前方に備え付けられる制御用の電子部品基板１２と効率的に絶縁距離を保つことができるようになっている。
【００１８】
即ち、仮にイオン吹出口を真上に向けて配設した場合には、発生するマイナスイオンがファンによる風の反対方向に流れたりガード８やスタンド２に吸着されて必要な方向に飛ぶイオン量が減少する恐れがあり、また、イオン吹出口を前方に向けて配設した場合には、発生するマイナスイオンが水平方向に流れるため、ファンによる風の影響を受けにくく、マイナスイオンが効率よく拡散されないおそれがある。
【００１９】
また、イオン発生装置１１を操作制御する電子部品基板１２にはトライアックをはじめ抵抗など、動作時に熱を発するものが使用されているので、このイオン発生装置１１を電子部品基板１２の上方に設置している。これにより、イオンは空気中の分子に電子を付加されてマイナスイオンになるため質量は空気と変わらないので、電子部品基板９から発せられる熱によってマイナスイオンが熱せられることにより上昇し、ファンの風にのって部屋中にマイナスイオンを分散させることができる。
【００２０】
本実施の形態における制御を図２に示すブロック図に基づいて説明すると、１３は制御回路で、風量スイッチの操作に基づく電動機からの信号、及びイオンスイッチ９からの信号を入力し、イオン発生装置１１の出力を制御するようになっており、電動機の駆動中にイオンスイッチ９を操作すると、イオン発生装置１１からマイナスイオンを発生させるとともに、電動機の出力の大きさ（風量）に応じてマイナスイオンの発生量を制御するようになっている。
【００２１】
次に、上記構成の扇風機における動作を図３に示すフローチャートに基づいて説明すると、まず、風量スイッチが「強」に設定されたか否かを判断し（ステップＳ１）、「強」に設定された場合はイオン発生装置１１の出力を上げてイオン発生量を多くするとともに、「強」に設定されなかった場合には、風量スイッチが「中」に設定されたか否かを判断する（ステップＳ２）。
【００２２】
そして、風量スイッチが「中」に設定された場合はイオン発生装置１１の出力を下げてイオン発生量を中程度とするとともに、「中」に設定されなかった場合には、風量スイッチが「弱」に設定されたか否かを判断する（ステップＳ３）。
【００２３】
さらに、風量スイッチが「弱」に設定された場合は、イオン発生装置１１の出力をさらに下げてイオン発生量を少なくするとともに、「弱」に設定されなかった場合にはイオン発生装置１１の出力を停止してステップＳ１に戻り待機する。
【００２４】
本構成によると、扇風機の使用時に、風量に応じてイオン発生装置１１からのマイナスイオンの発生量を調整できるため、例えば「強」に設定した場合にはマイナスイオンの発生量を多くして、風量が多くてもマイナスイオンが広範囲に拡散しても室内のイオン濃度を保つことができるとともに、「弱」に設定した場合にはマイナスイオンの発生量を少なくして、イオン発生装置１１のロスを少なくして効率よくマイナスイオンを室内に拡散させることができる。
【００２５】
上記第１の実施の形態では、風量スイッチの設定に応じてマイナスイオンの発生量を調整可能とした構成を説明したが、第２の実施の形態として、扇風機の首振り状態に応じてマイナスイオンの発生量を調整可能とした構成を説明する。
【００２６】
尚、構成については、上記第１の実施の形態と同一であるため説明を省略する。
【００２７】
本実施の形態における制御を図４に示すブロック図に基づいて説明すると、１４は制御回路で、電動機、イオンスイッチ９からの信号、及び首振りスイッチの操作に基づく縦・左右各首振り用モータからの信号を入力し、イオン発生装置１１の出力を制御するようになっており、電動機の駆動中にイオンスイッチ９を操作すると、イオン発生装置１１からマイナスイオンを発生させるとともに、首振りモードの切り替えに応じてマイナスイオンの発生量を制御するようになっている。
【００２８】
次に、図５に示すフローチャートに基づき、動作を説明する。
【００２９】
まず、首振りスイッチが操作されたか否かを判断し（ステップＳ１１）、操作されていない場合（首振り停止時）はイオン発生装置１１の出力を下げてマイナスイオン発生量を少なくするとともに、首振りスイッチが操作された場合には、首振りスイッチが「縦（上下）首振りモード」に設定されたか否かを判断する（ステップＳ１２）。
【００３０】
そして、首振りスイッチが「縦（上下）首振りモード」に設定された場合には、イオン発生装置１１の出力を上げてマイナスイオン発生量を中程度にするとともに、「縦（上下）首振りモード」に設定されていない場合には、首振りスイッチが「左右首振りモード」に設定されたか否かを判断する（ステップＳ１３）。
【００３１】
さらに、首振りスイッチが「左右首振りモード」に設定された場合には、イオン発生装置１１の出力を、「縦（上下）首振りモード」設定時と同程度としてマイナスイオン発生量を中程度に維持するとともに、「左右首振りモード」に設定されていない場合には、首振りスイッチが「立体首振りモード」に設定されたか否かを判断する（ステップＳ１４）。
【００３２】
そして、首振りスイッチが「立体首振りモード」に設定された場合には、イオン発生装置１１の出力をさらに上げて、マイナスイオン発生量を最も多くする。
【００３３】
本構成によると、扇風機の使用時、首振りのＯＮ・ＯＦＦ、及び首振りモードに応じてマイナスイオンの発生量を調整でき、例えば首振り停止時にはマイナスイオンの発生量を少なく、縦首振りモードまたは左右首振りモード設定時にはマイナスイオンの発生量をやや多く、さらに立体首振りモード設定時にはマイナスイオン発生量を最も多くして、イオン発生装置１１のロスを少なくして効率よくマイナスイオンを室内に拡散させることができる。
【００３４】
尚、本第２の実施の形態では、首振りのＯＮ・ＯＦＦ、及び首振りモードに応じてマイナスイオンの発生量を調整できるよう構成したが、単に、首振りのＯＮ・ＯＦＦに応じてのみマイナスイオンの発生量を調整できる構成としてもよい。
【００３５】
また、本第１、第２の実施の形態では、イオン発生装置１１をベース３の前方に配設したが、例えば支柱４やガード８前方等に配設してもよく、特にイオン発生装置１１の配設個所を限定されるものではない。
【００３６】
【発明の効果】
本発明の請求項１によると、扇風機の使用時に、風量に応じてイオン発生装置からのマイナスイオンの発生量を調整できるため、風量が大きい場合にはマイナスイオンの発生量を多くすることにより、風量が大きくマイナスイオンが広範囲に拡散しても室内のイオン濃度を保つことができるとともに、風量が小さい場合にはマイナスイオンの発生量を少なくして、イオン発生装置のロスを少なくして効率よくマイナスイオンを室内に拡散させることができ、信頼性及び使用性を向上できる。
【００３７】
また、本発明の請求項２によると、扇風機の使用時、首振りのＯＮ・ＯＦＦに応じてマイナスイオンの発生量を調整でき、例えば首振り停止時にはマイナスイオンの発生量を少なく、首振り時にはマイナスイオン発生量を最も多くして、イオン発生装置のロスを少なくして効率よくマイナスイオンを室内に拡散させることができ、信頼性及び使用性を向上できる。
【００３８】
さらに、本発明の請求項３によると、扇風機の使用時、首振りのＯＮ・ＯＦＦ、及び縦首振り、左右首振り、立体首振りの各首振りモードに応じてマイナスイオンの発生量を調整でき、例えば首振り停止時にはマイナスイオンの発生量を少なく、縦首振りモードまたは左右首振りモード設定時にはマイナスイオンの発生量をやや多く、さらに立体首振りモード設定時にはマイナスイオン発生量を最も多くして、イオン発生装置のロスを少なくして効率よくマイナスイオンを室内に拡散させることができ、信頼性及び使用性を向上できる。
【００３９】
また、本発明の請求項４によると、発生したマイナスイオンは斜め前方上方に発射された後、ファンの風に乗って部屋中に拡散されるため、より効率よくマイナスイオンを室内に拡散させることができる。
【図面の簡単な説明】
【図１】本発明の実施の形態を示す扇風機の外観側面図である。
【図２】本発明の第１の実施の形態を示す扇風機の制御を示すブロック図である。
【図３】同扇風機の動作を説明するフローチャートである。
【図４】本発明の第２の実施の形態を示す扇風機の制御を示すブロック図である。
【図５】同扇風機の動作を説明するフローチャートである。
【符号の説明】
３　　　　　ベース
４　　　　　支柱
７　　　　　扇風機頭部
８　　　　　ガード体
１０　　　　操作部
１１　　　　　イオン発生装置
【図１】
2004019531.tif 000003
【図２】
2004019531.tif 000004
【図３】
2004019531.tif 000005
【図４】
2004019531.tif 000006
【図５】
2004019531.tif 000007